(57)【要約】【課題】原稿の画像を読み取る画像処理装置において、追加スキャンを行うかどうかをオペレータに質問する表示を行う場合、オペレータに煩雑な動作を強いることが無く、使い勝手のよい画像読取システムおよび情報処理端末の制御方法を提供することを目的とする。【解決手段】読取モードに応じて追加スキャンの確認を表示するかどうかを判断し、原稿台方式の場合にのみ、追加スキャンの要否の確認を表示し、ＡＤＦ方式の場合には、追加スキャンの要否の確認を表示せず、したがって、追加スキャンをキャンセルする煩わしい操作を排除する画像読取システムおよび情報処理端末の制御方法である。【選択図】  図５
2004236149.tif 000002
【特許請求の範囲】
【請求項１】
情報を送受信するインタフェース手段によって接続されている情報処理端末と、画像処理装置とを具備する画像処理システムにおいて、
上記画像処理装置が、
原稿給紙部上の原稿を１枚ずつ搬送しながら読み取るＡＤＦ方式と、原稿台ガラス上に載置されている原稿を静止したまま読み取る原稿台方式とを有する読取手段と；
上記情報処理端末からのスキャン指示に応答して、上記ＡＤＦ方式または上記原稿台方式によって、原稿を読み取る読取制御手段と；
上記読取制御手段が読み取った画像を、上記情報処理端末に転送する画像転送手段と；
を有し、
上記情報処理端末が、
上記ＡＤＦ方式、上記原稿台方式のうちのどちらで原稿を読み取るかを、上記画像処理装置に指示するスキャン指示手段と；
上記スキャン指示に応答して、上記画像処理装置から転送された画像を受信する画像受信手段と；
画像受信終了時に、追加スキャンの確認を表示するかどうかを、上記読取モードに応じて、判断する表示判断手段と；
追加スキャンの確認を表示することを、上記表示判断手段が判断すると、追加スキャンの確認を表示する追加スキャン表示手段と；
上記追加スキャン表示手段を介して、追加スキャンすることが指示されると、上記画像処理装置にスキャンを指示する追加スキャン指示手段と；
を有することを特徴とする画像処理システム。
【請求項２】
請求項１において、
上記表示判断手段は、上記ＡＤＦ方式で読み取りが実行されると、追加スキャンの確認を表示しないことを判断し、上記原稿台方式で読み取りが実行されると、追加スキャンの確認を表示することを判断する手段であることを特徴とする画像処理システム。
【請求項３】
請求項１において、
上記情報処理端末は、上記ＡＤＦ方式と上記原稿台方式とのそれぞれに対して、追加スキャンの確認を表示するかどうかを設定する追加スキャン設定手段を有し、
上記表示判断手段は、上記追加スキャン設定手段で設定されている情報に従って、追加スキャンの確認を表示するかどうかを判断する手段であることを特徴とする画像処理システム。
【請求項４】
請求項２または請求項３において、
上記情報処理端末は、上記画像処理装置の原稿給紙部上に原稿が存在しているかどうかを判断する原稿判断手段を有し、
上記スキャン指示手段は、原稿が存在していることを、上記原稿判断手段が判断すると、上記ＡＤＦ方式で原稿を読み取り、原稿が存在していないことを、上記原稿判断手段が判断すると、上記原稿台方式で原稿を読み取るように、上記画像処理装置に対して指示する手段であることを特徴とする画像処理システム。
【請求項５】
情報を送受信するインタフェース手段によって画像処理装置に接続される情報処理端末の制御方法において、
上記画像処理装置の原稿給紙部上の原稿を１枚ずつ搬送しながら読み取るＡＤＦ方式と、原稿台ガラス上に載置されている原稿を静止したまま読み取る原稿台方式とのどちらでスキャンするかを、上記画像処理装置に指示するスキャン指示段階と；
上記情報処理端末からの上記スキャン指示に応答して、上記画像処理装置から転送された画像を受信する画像受信段階と；
画像受信終了時に、追加スキャンの確認を表示するかどうかを、上記読取モードに応じて判断する表示判断段階と；
追加スキャンの確認を表示することを、上記表示判断段階で判断すると、追加スキャンの確認を表示する追加スキャン表示段階と；
上記追加スキャン表示段階で追加スキャンを指示すると、上記画像処理装置にスキャンを指示する追加スキャン指示段階と；
を有することを特徴とする情報処理端末の制御方法。
【請求項６】
請求項５において、
上記表示判断段階は、上記ＡＤＦ方式で読み取りが実行されると、追加スキャンの確認を表示しないことを判断し、上記原稿台方式で読み取りが実行されると、追加スキャンの確認を表示することを判断する段階であることを特徴とする情報処理端末の制御方法。
【請求項７】
請求項５において、
上記情報処理端末は、上記ＡＤＦ方式と上記原稿台方式とのそれぞれに対して、追加スキャンの確認を表示するかどうかを設定する追加スキャン設定段階を有し、
上記表示判断段階は、上記追加スキャン設定段階で設定されている情報に従って、追加スキャンの確認を表示するかどうかを判断する段階であることを特徴とする情報処理端末の制御方法。
【請求項８】
請求項６または請求項７において、
上記情報処理端末は、上記画像処理装置の原稿給紙部上に原稿が載置されているかどうかを判断する原稿判断段階を有し、
上記スキャン指示段階は、上記原稿判断段階で原稿が載置されていると判断すると、ＡＤＦ方式で原稿を読み取り、原稿が載置されていないと判断すると、原稿台方式で原稿を読み取るように、上記画像処理装置に指示する段階であることを特徴とする情報処理端末の制御方法。
【発明の詳細な説明】
【０００１】
【発明の属する技術分野】
本発明は、原稿の画像を読み取る画像処理装置と、上記画像処理装置を制御する情報処理端末とによって構成される画像読取システムおよび情報処理端末の制御方法に関する。
【０００２】
【従来の技術】
従来、情報処理端末と画像処理装置とによって構成されている画像読取システムにおいて、上記画像処理装置が、原稿給紙部（ＡＤＦ）上の原稿を１枚ずつ搬送しながら読み取りを行うＡＤＦ方式と、原稿台ガラス上に載置されている原稿を静止したまま読み取りを行う原稿台方式との両制御方式に対応するシステムが知られている。
【０００３】
この種の装置において、ＡＤＦ方式の場合は、ＡＤＦ上の原稿がなくなるまで複数枚の読み取りを行い、また、原稿台方式の場合は、原稿台ガラス上の１枚だけの読み取りを行い、読み取り動作を終了するのが一般的である。
【０００４】
また、原稿の読み取りが終了した際に、追加スキャンを行うかどうかを表示する画像読取システムが知られている（たとえば、特許文献１参照）。
【０００５】
【特許文献１】
特許第２５６１２７５号公報
【０００６】
【発明が解決しようとする課題】
しかし、上記従来例において、追加スキャンを行うかどうかを表示する場合、この表示に対応する動作を必ずオペレータが実行する必要があり、この対応動作がオペレータにとって煩雑であるという問題がある。
【０００７】
つまり、原稿の画像を読み取る画像処理装置において、追加スキャンを行うかどうかをオペレータに質問する表示を行う場合、ＡＤＦ方式であれば、通常、全ての原稿をＡＤＦ上にセットしてから読み取りを開始するので、追加スキャンを行うことはほとんどないにも関わらず、追加スキャンを行うかどうかを質問する表示が毎回行われ、追加スキャンをオペレータがキャンセルする操作を、その都度、実行する必要があり、この操作が煩雑であるという問題がある。
【０００８】
本発明は、原稿の画像を読み取る画像処理装置において、追加スキャンを行うかどうかをオペレータに質問する表示を行う場合、オペレータに煩雑な動作を強いることが無く、使い勝手のよい画像読取システムおよび情報処理端末の制御方法を提供することを目的とする。
【０００９】
【課題を解決するための手段】
本発明は、読取モードに応じて追加スキャンの確認を表示するかどうかを判断し、原稿台方式の場合にのみ、追加スキャンの要否の確認を表示し、ＡＤＦ方式の場合には、追加スキャンの要否の確認を表示せず、したがって、追加スキャンをキャンセルする煩わしい操作を排除する画像読取システムおよび情報処理端末の制御方法である。
【００１０】
【発明の実施の形態および実施例】
図１は、本発明の一実施例である画像処理装置１０の基本構成を示すブロック図である。
【００１１】
システム制御部１０１は、システムバス１２０を介して、画像処理装置１０の全体の動作を制御する。ＲＯＭ１０２は、システム制御部１０１の制御プログラム等を格納する。
【００１２】
登録メモリ１０３は、バッテリーバックアップされたＳＲＡＭまたはフラッシュメモリ等で構成され、オペレータが登録した設定値や、画像処理装置１０の管理データ等を格納する。画像メモリ１０４は、ＤＲＡＭ等によって構成され、画像データを蓄積する。
【００１３】
ワークメモリ１０５は、ＤＲＡＭ等で構成され、プログラム制御変数等を格納する。操作部１０６は、各種キー等によって構成され、オペレータが各種入力を行う。表示部１０７は、ＬＣＤやＬＥＤ等によって構成され、各種表示、表音を行う。
【００１４】
読取制御部１０８は、ＣＣＤやＣＳ等のイメージセンサ、画像処理制御部等によって構成され、原稿を光学的に読み取り、電気的な画像データに変換し、さらに色処理、２値化処理、中間調処理等の各種画像処理を施し、高精細な画像データを出力する。
【００１５】
なお、本実施例では、読取制御部１０８は、ＡＤＦ上の原稿を１枚ずつ搬送しながら読み取るＡＤＦ方式と、原稿台ガラス上に載置されている原稿を静止したまま読み取る原稿台方式との両制御方式に対応している。
【００１６】
記録制御部１０９は、感熱、レーザ、インクジェット等のプリンタや画像処理制御部等によって構成され、記録する画像データ等を、スムージング処理や記録濃度補正処理等の各種画像処理を施し、高精細な画像データに変換し、記録紙上に出力する。
【００１７】
符号化／復号化部１１０は、生の画像データを符号化（ＭＨ、ＭＲ、ＭＭＲ、ＪＢＩＧ、ＪＰＥＧ等）し、また、符号化された画像データを生の画像データに復号化する。
【００１８】
メモリカードＩ／Ｆ１１１は、メモリカード５０を装着するスロット等によって構成され、装着されたメモリカード５０内のファイルのリード／ライトを行う。メモリカードとして、コンパクトフラッシュ（登録商標）、スマートメディア（登録商標）、メモリ・スティック等があり、それぞれ別々のスロットとしてもよく、ＰＣＭＣＩＡカードスロットによって全てのカードに対応できるように構成してもよい。
【００１９】
通信制御部１１２は、モデムやＮＣＵ（網制御装置）等によって構成され、通信回線１１を通して、相手通信装置との間で、画情報等をやり取りする。
【００２０】
外部Ｉ／Ｆ制御部１１３は、シリアル入出力インタフェース用ＬＳＩ、パラレル入出力インタフェース用ＬＳＩ、ＬＡＮインタフェース用ＬＳＩ等によって構成され、外部Ｉ／Ｆ３０を介して、情報処理端末２０との間で、各種制御命令やデータの送受信を行う。なお、これらの各種制御命令やデータの送受信に関しては、公知の方法を使用し、詳述しない。
【００２１】
図２は、情報処理端末２０の基本構成を示すブロック図である。
【００２２】
ＣＰＵ２０１は、ＲＯＭ２０２、メインメモリ２０３、または、ハードディスク２２０に記憶されているプログラム、または、ＦＤドライブ２２１、ＣＤ−ＲＯＭドライブ２２２から読み出されたプログラムに従って、システムバスを介して、情報処理端末１０の全体の動作を制御する。
【００２３】
ＲＯＭ２０２は、ＣＰＵ２０１の制御プログラム等を格納している。メインメモリ２０３は、一時的に、プログラムや画像データを記憶し、情報処理端末の処理を高速に動作させる。
【００２４】
ハードディスク制御部２０４は、オペレーティング・システム、各種アプリケーションプログラムや画像データ等が格納されるハードディスク２２０を制御する。ハードディスク２２０には、本実施例におけるスキャン処理工程を含む、画像処理装置１０に対する各種制御命令や、データの送受信を行うアプリケーションソフトとライバソフトとが、インストールされている。
【００２５】
通常、これらのアプリケーションソフトとライバソフトとは、これらが記憶された他のコンピュータ可読媒体から、ＦＤドライブ２２１、ＣＤ−ＲＯＭドライブ２２２等を介して、ハードディスク２２０にインストールされる。また、ネットワーク制御部２０７やモデム２０８を介して、アプリケーションソフトとドライバソフトとをダウンロードし、ハードディスク２２０にインストールすることもできる。
【００２６】
キーボード／マウス制御部２０５は、オペレータからの指示入力手段としてのキーボード／マウス２３０を制御する。ディスプレイ制御部２０６は、オペレータに、各種表示を行うディスプレイ２４０を制御する。
【００２７】
ネットワーク制御部２０７は、ネットワークＩ／Ｆ４０を介して、図示しないネットワークに接続する制御を行う。ネットワークへの接続に関しては、公知の方法を使用し、詳述しない。モデム２０８は、通信回線２１を通して、プロバイダへの接続や、相手通信装置との間でにおけるデータや画情報等の通信を行う。
【００２８】
外部Ｉ／Ｆ制御部２０９は、シリアル入出力インタフェース用ＬＳＩ、パラレル入出力インタフェース用ＬＳＩ等によって構成され、外部Ｉ／Ｆ３０を介して、画像処理装置１０との間で、各種制御命令やデータの送受信を行う。ＦＤドライブ制御部２１０は、ＦＤドライブ２２１を制御する。ＣＤ−ＲＯＭドライブ制御部２１１は、ＣＤ−ＲＯＭドライブ２２２を制御する。
【００２９】
図３は、本発明の実施例である外部Ｉ／Ｆ制御部１１３が、ＵＳＢインタフェースである場合に、その構成を示す概念図である。
【００３０】
最も大きい枠で示されるＤｅｖｉｃｅ（３０１）は、ＵＳＢ通信規格において１つだけ定義することができ、装置全体の属性を示している。Ｄｅｖｉｃｅ（３０１）の属性は、Ｄｅｖｉｃｅ  Ｄｅｓｃｒｉｐｔｏｒで表現され、Ｄｅｖｉｃｅ  Ｄｅｓｃｒｉｐｔｏｒには、装置の製造者ＩＤ、製品ＩＤ、リリース番号、Ｃｏｎｆｉｇｕｒａｔｉｏｎ数等が含まれている。本実施例においては、Ｃｏｎｆｉｇｕｒａｔｉｏｎ数は、「１」である。
【００３１】
Ｄｅｖｉｃｅ（３０１）の中には、Ｃｏｎｆｉｇｕｒａｔｉｏｎが１つ（Ｃｏｎｆｉｇｕｒａｔｉｏｎ１（３０２））だけ定義されている。Ｃｏｎｆｉｇｕｒａｔｉｏｎ１（３０２）の属性は、Ｃｏｎｆｉｇｕｒａｔｉｏｎ  Ｄｅｓｃｒｉｐｔｏｒで表現され、Ｃｏｎｆｉｇｕｒａｔｉｏｎ  Ｄｅｓｃｒｉｐｔｏｒには、そのＣｏｎｆｉｇｕｒａｔｉｏｎの中のＩｎｔｅｒｆａｃｅ数等が含まれている。本実施例においては、Ｉｎｔｅｒｆａｃｅ数は、「４」である。
【００３２】
Ｃｏｎｆｉｇｕｒａｔｉｏｎ１（３０２）の中には、Ｉｎｔｅｒｆａｃｅが４つ（Ｉｎｔｅｒｆａｃｅ０〜３（３０４、３０７、３１１、３１５））定義されている。Ｉｎｔｅｒｆａｃｅ０〜３（３０４、３０７、３１１、３１５）の属性は、Ｉｎｔｅｒｆａｃｅ  Ｄｅｓｃｒｉｐｔｏｒで表現され、Ｉｎｔｅｒｆａｃｅ  Ｄｅｓｃｒｉｐｔｏｒには、そのＩｎｔｅｒｆａｃｅの中のＥｎｄｐｏｉｎｔ数、クラスコード等が含まれている。本実施例においては、プリンタ用に使用するＩｎｔｅｒｆａｃｅ０（３０４）の中のＥｎｄｐｏｉｎｔ数は、「２」である。また、スキャナ用に使用するＩｎｔｅｒｆａｃｅ１（３０７）の中のＥｎｄｐｏｉｎｔ数は、「３」である。また、ＦＡＸ送受信用に使用するＩｎｔｅｒｆａｃｅ２（３１１）の中のＥｎｄｐｏｉｎｔ数は、「３」である。また、メモリカード用に使用するＩｎｔｅｒｆａｃｅ３（３１５）の中のＥｎｄｐｏｉｎｔ数は、「２」である。
【００３３】
プリンタ用に使用するＩｎｔｅｒｆａｃｅ０（３０４）の中には、Ｅｎｄｐｏｉｎｔが２つ（Ｅｎｄｐｏｉｎｔ１、２（３０５、３０６））だけ定義されている。Ｅｎｄｐｏｉｎｔ１、２（３０５、３０６）の属性は、Ｅｎｄｐｏｉｎｔ  Ｄｅｓｃｒｉｐｔｏｒで表現され、Ｅｎｄｐｏｉｎｔ  Ｄｅｓｃｒｉｐｔｏｒには、そのＥｎｄｐｏｉｎｔのＥｎｄｐｏｉｎｔ番号、通信方向、転送タイプ、パケットサイズ等が含まれている。Ｅｎｄｐｏｉｎｔ１（３０５）は、主に、制御データ受信や印刷データ受信のために使用される。Ｅｎｄｐｏｉｎｔ２（３０６）は、主に、受信した印刷データの印刷状況を送信するために使用される。
【００３４】
スキャナ用に使用するＩｎｔｅｒｆａｃｅ１（３０７）の中には、Ｅｎｄｐｏｉｎｔが３つ（Ｅｎｄｐｏｉｎｔ３、４、５（３０８、３０９、３１０））だけ定義されている。Ｅｎｄｐｏｉｎｔ３、４、５（３０８、３０９、３１０）の属性は、Ｅｎｄｐｏｉｎｔ  Ｄｅｓｃｒｉｐｔｏｒで表現され、ＥｎｄｐｏｉｎｔＤｅｓｃｒｉｐｔｏｒには、そのＥｎｄｐｏｉｎｔのＥｎｄｐｏｉｎｔ番号、通信方向、転送タイプ、パケットサイズ等が含まれている。Ｅｎｄｐｏｉｎｔ３（３０８）は、主に、制御データや読み取りデータを送信するために使用される。Ｅｎｄｐｏｉｎｔ４（３０９）は、主に、制御データを受信するために使用される。Ｅｎｄｐｏｉｎｔ５（３１０）は、主に、スキャンの開始が指示されたことを通知するために使用される。
【００３５】
ＦＡＸ送受信用に使用するＩｎｔｅｒｆａｃｅ２（３１１）の中には、Ｅｎｄｐｏｉｎｔが３つ（Ｅｎｄｐｏｉｎｔ６、７、８（３１２、３１３、３１４））だけ定義されている。Ｅｎｄｐｏｉｎｔ６、７、８（３１２、３１３、３１４）の属性は、Ｅｎｄｐｏｉｎｔ  Ｄｅｓｃｒｉｐｔｏｒで表現され、Ｅｎｄｐｏｉｎｔ  Ｄｅｓｃｒｉｐｔｏｒには、そのＥｎｄｐｏｉｎｔのＥｎｄｐｏｉｎｔ番号、通信方向、転送タイプ、パケットサイズ等が含まれている。Ｅｎｄｐｏｉｎｔ６（３１２）は、主に、制御データ受信やＦＡＸ送信データ受信のために使用される。Ｅｎｄｐｏｉｎｔ７（３１３）は、主に、ＦＡＸ受信データ送信やＦＡＸ送受信の通信状況を送信するために使用される。Ｅｎｄｐｏｉｎｔ８（３１４）は、主に、ＦＡＸ受信が終了したことを通知するために使用される。
【００３６】
メモリカード用に使用するＩｎｔｅｒｆａｃｅ３（３１５）の中には、Ｅｎｄｐｏｉｎｔが２つ（Ｅｎｄｐｏｉｎｔ９、１０（３１６、３１７））だけ定義されている。Ｅｎｄｐｏｉｎｔ９、１０（３１６、３１７）の属性は、Ｅｎｄｐｏｉｎｔ  Ｄｅｓｃｒｉｐｔｏｒで表現され、Ｅｎｄｐｏｉｎｔ  Ｄｅｓｃｒｉｐｔｏｒには、そのＥｎｄｐｏｉｎｔのＥｎｄｐｏｉｎｔ番号、通信方向、転送タイプ、パケットサイズ等が含まれている。
【００３７】
Ｅｎｄｐｏｉｎｔ９（３１６）は、主に、制御データ受信やカードデータ受信のために使用される。Ｅｎｄｐｏｉｎｔ１０（３１７）は、主に、制御データ送信やカードデータ送信するために使用される。このような構成にすることによって、画像処理装置１０内のメモリカードＩ／Ｆ１１１は、情報処理端末２０からは着脱可能メディアドライブ（たとえば、Ｅドライブ）として認識され、また、情報処理端末２０からメモリカード５０内のファイルのリード／ライトが可能になる。
【００３８】
ここで、情報処理端末２０上のハードディスク２２０、ＦＤドライブ２２１、ＣＤ−ＲＯＭドライブ２２２等の構成によっては、タイミングによって他のドライブとして認識される（たとえば、ＥドライブからＦドライブに変更される）可能性がある。このために、ドライブ情報に関しては、必要に応じて、適宜、取得したドライブ情報を使用する構成になっている。
【００３９】
図４は、情報処理端末２０上で読取モードの各種設定を行う読取設定ダイアログ４００を示す説明図である。
【００４０】
読取設定ダイアログ４００は、読取方法設定４０１と、追加スキャン表示設定４０２とによって構成され、オペレータは、各種設定の変更、保存を行うことができる。
【００４１】
読取方法設定４０１では、ＡＤＦと原稿台とのうちで、どちらからスキャンを行うかを設定することができる。また、ＡＤＦに原稿があれば、ＡＤＦからスキャンし、ＡＤＦに原稿が載置されていなければ、原稿台からスキャンするというＡＤＦ優先の自動モードを設定することができる。
【００４２】
追加スキャン表示設定４０２では、全原稿の読み取り終了時に、設定可能な各読取方法（自動モード、ＡＤＦ、原稿台）に対して、それぞれ、追加スキャンの有無を確認するダイアログを表示するかどうかを、読取方法設定４０１が設定することができる。さらに、自動モードに関しては、「下記設定に従う」という選択肢もあり、実際のスキャンで使用された読取モード（ＡＤＦモード、原稿台モード）に対して設定されている動作（表示する／表示しない）を選択することも可能である。
【００４３】
図５は、上記実施例において、情報処理端末２０におけるスキャン時の処理を示すフローチャートである。
【００４４】
スキャンが開始されると、まず、読取設定ダイアログ４００の読取方法設定４０１で、自動モードが設定されているか否かを判断する（Ｓ５０１）。自動モードが設定されていれば、画像処理装置１０の読取制御部１０８のＡＤＦ上に原稿が載置されているかどうかを判断し（Ｓ５０２）、原稿が無ければ、読取モードを、原稿台モードに設定し（Ｓ５０３）、原稿が有れば、読取モードをＡＤＦモードに設定する（Ｓ５０４）。
【００４５】
一方、Ｓ５０１で自動モードが設定されていなければ、読取方法設定４０１がＡＤＦに設定されているかどうかを判断し（Ｓ５０５）、読取方法設定４０１がＡＤＦに設定されていれば、読取モードをＡＤＦモードに設定し（Ｓ５０４）、読取方法設定４０１が原稿台に設定されていれば、読取モードを原稿台モードに設定する（Ｓ５０６）。
【００４６】
Ｓ５０７では、設定された読取モードでスキャンを行うように指示を送出し、画像処理装置１０から転送される１ページ分のスキャン画像を、Ｅｎｄｐｏｉｎｔ３（３０８）を介して、随時受信する。Ｓ５０８において、スキャン画像受信中にエラーが無いかどうかを判断し、エラーが無ければ、Ｓ５０９に移行し、エラーがあれば、エラーダイアログ表示等のエラー処理を行い（Ｓ５１４）、処理を終了する。
【００４７】
Ｓ５０９では、全原稿のスキャンが終了したか否かを判断する。読取モードがＡＤＦモードであれば、読取制御部１０８のＡＤＦ上に次原稿があるかどうかで判断され、次原稿があれば、Ｓ５０７に戻り、次原稿のスキャンを行い、次原稿がなければ、Ｓ５１０に移行する。また、読取モードが原稿台モードであれば、Ｓ５１０に移行する。
【００４８】
Ｓ５１０において、追加スキャンの確認表示を行うかどうかを判断する。つまり、読取設定ダイアログ４００の追加スキャン表示設定４０２での設定に従って、追加スキャンの確認表示を行うかどうかを判断する。追加スキャン表示設定４０２では、自動モード、ＡＤＦ、原稿台の各読取方法に対して、追加スキャンの確認表示をするか否かが設定されている。また、自動モードに関しては、追加スキャン表示設定４０２で、「下記設定に従う」が設定されていれば、実際のスキャンで使用された読取モード（ＡＤＦモード、原稿台モード）に対して、追加スキャン表示設定４０２で設定されている動作（表示する／表示しない）によって判断される。
【００４９】
Ｓ５１０では、追加スキャンの確認表示を行うと判断されると、追加スキャンを行うかどうかを指示するダイアログを、ディスプレイ２４０上に表示し（Ｓ５１１）、Ｓ５１２に移行する。追加スキャンの確認表示を行わないと判断されると、Ｓ５１３に移行する。
【００５０】
Ｓ５１２では、Ｓ５１１で表示したダイアログに対して、追加スキャンを行うことを、オペレータが指示すると、Ｓ５０１に戻り、再度スキャン処理を行う。また、Ｓ５０７に戻り、前回使用した読取モードでスキャン処理するように構成してもよい。Ｓ５１２において、追加スキャンを行わないことをオペレータが指示すると、Ｓ５１３に移行する。
【００５１】
Ｓ５１３では、スキャンされた画像のファイルを作成し、スキャン処理を終了する。追加スキャンを行った場合、追加スキャン前にスキャンした画像と追加スキャン後にスキャンした画像とを合わせて、１つの複数ページのファイルが作成される。このファイルは、ハードディスク２２０に保存されたり、他のアプリケーションに渡されたりする。
【００５２】
また、上記実施例では、追加スキャン表示設定４０２として、各読取方法に対して追加スキャン確認表示／非表示の詳細な設定を、オペレータが実行できるように構成しているが、読取モードがＡＤＦモードであれば、非表示にし、原稿台モードであれば、表示するというように、固定の構成にするようにしてもよい。この場合でも、追加スキャンを行うことがほとんど無いＡＤＦモードでのスキャンにおいて、追加スキャンの確認表示が出るという従来の問題を解決することができる。
【００５３】
上記実施例において、画像処理装置１０は、ファクシミリやプリンタ機能を含む複合機であるが、上記実施例を、画像読取機能のみが搭載されている場合に適用するようにしてもよい。
【００５４】
また、本発明の目的は、上述した実施形態の機能を実現するソフトウェアのプログラムを記録した記録媒体を、システム或いは装置に供給し、そのシステム或いは装置のコンピュータ（又は、ＣＰＵやＭＰＵ）が記憶媒体に格納されたプログラムコードを読み出し、実行することによっても、達成される。
【００５５】
この場合、記憶媒体から読み出されたプログラムコード自体が、上記実施例の機能を実現することになり、そのプログラムコードを記憶した記憶媒体は、本発明を構成する。プログラムコードを供給する記憶媒体としては、たとえば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ等が間変えられる。
【００５６】
また、コンピュータが読み出したプログラムコードを実行することによって、上記実施例の機能が実現されるだけでなく、そのプログラムコードの指示に基づき、コンピュータ上で稼働しているＯＳ（オペレーティング・システム）等が、実際の処理の一部又は全部を実行し、その処理によって、上記実施例の機能が実現される。
【００５７】
上記実施例によれば、読取モードに応じて追加スキャンの確認を表示するかどうかを判断するので、原稿台方式の場合にのみ追加スキャンの確認を表示することができ、ＡＤＦ方式の場合に追加スキャンをキャンセルするという煩わしい操作を行う必要がなく、これによって、オペレータに煩雑な操作を強いることを阻止することができる。
【００５８】
また、上記実施例によれば、各読取モードに対してオペレータの好みにあった詳細な設定を行うことができるので、利便性の向上した画像処理システムを提供することができる。
【００５９】
【発明の効果】
本発明によれば、読取モードに応じて追加スキャンの確認を表示するかどうかを判断し、原稿台方式の場合にのみ、追加スキャンの確認を表示し、ＡＤＦ方式の場合に追加スキャンをキャンセルする煩わしい操作を阻止するので、これによって、オペレータに煩雑な操作を強いることを阻止することができるという効果を奏する。
【図面の簡単な説明】
【図１】本発明の一実施例である画像処理装置１０の基本的な構成を示すブロック図である。
【図２】情報処理端末２０の基本構成を示すブロック図である。
【図３】本発明の実施例である外部Ｉ／Ｆ制御部１１３が、ＵＳＢインタフェースである場合に、その構成を示す概念図である。
【図４】情報処理端末２０上で読取モードの各種設定を行う読取設定ダイアログ４００を示す説明図である。
【図５】上記実施例において、情報処理端末２０におけるスキャン時の処理を示すフローチャートである。
【符号の説明】
１００…画像処理装置、
１０１…システム制御部、
１０２…ＲＯＭ、
１０３…登録メモリ、
１０４…画像メモリ、
１０５…ワークメモリ、
１０６…操作部、
１０７…表示部、
１０８…読取制御部、
１０９…記録制御部、
１１０…符号化／復号化部、
１１１…メモリカードＩ／Ｆ、
１１２…通信制御部、
１１３…外部Ｉ／Ｆ制御部、
１２０…システムバス、
２０…情報処理端末、
２０１…ＣＰＵ、
２０２…ＲＯＭ、
２０３…メインメモリ、
２０４…ハードディスク制御部、
２０５…キーボード／マウス制御部、
２０６…ディスプレイ制御部、
２０７…ネットワーク制御部、
２０８…モデム、
２０９…外部Ｉ／Ｆ制御部、
２１１…ＣＤ−ＲＯＭドライブ制御部、
２２０…ハードディスク、
２２１…ＦＤドライブ、
２２２…ＣＤ−ＲＯＭドライブ、
２３０…キーボード／マウス、
３０…外部Ｉ／Ｆ、
４０…ネットワークＩ／Ｆ。
【図１】
2004236149.tif 000003
【図２】
2004236149.tif 000004
【図３】
2004236149.tif 000005
【図４】
2004236149.tif 000006
【図５】
2004236149.tif 000007